(57)【特許請求の範囲】
【請求項１】
施設のフロア毎のフロア平面図をそれぞれ階層情報と関連付けて積層表示させた選択画面を表示させる選択画面表示制御部と、
前記選択画面に基づき、前記施設内に設置された設備機器の状態を表示させるフロアの選択指示を受け付けるとともに、前記選択画面において表示された各フロア平面図の傾斜を大きくさせる平面傾け指示を受け付ける表示フロア受付部と、
前記表示フロア受付部が前記選択指示を受け付けた場合、当該選択指示に基づき、前記施設内に設置された設備機器から収集された監視ポイントデータを取得する監視ポイントデータ取得部と、
前記監視ポイントデータ取得部が取得した監視ポイントデータに関する情報が重畳表示されたフロア平面図を表示させる監視ポイント表示制御部とを備え、
前記選択画面表示制御部は、
前記選択画面において、表示される各フロア平面図を、それぞれ、設定された間隔だけ離れて積層した状態で傾斜させて表示させ、前記表示フロア受付部が前記平面傾け指示を受け付けた場合、当該平面傾け指示で指定されたフロアのフロア平面図と当該フロア平面図の上方に表示されているフロア平面図との間隔を前記設定された間隔よりも広くし、前記平面傾け指示で指定されたフロアのフロア平面図を、当該フロア平面図の傾斜を大きくして表示させる
ことを特徴とする施設管理装置。
【請求項２】
施設のフロア毎のフロア平面図をそれぞれ階層情報と関連付けて積層表示させた選択画面を表示させる選択画面表示制御部と、
前記選択画面に基づき、前記施設内に設置された設備機器の状態を表示させるフロアの選択指示を受け付けるとともに、前記選択画面において表示された各フロア平面図の傾斜を大きくさせる平面傾け指示を受け付ける表示フロア受付部と、
前記表示フロア受付部が前記選択指示を受け付けた場合、当該選択指示に基づき、前記施設内に設置された設備機器から収集された監視ポイントデータを取得する監視ポイントデータ取得部とを備え、
前記選択画面表示制御部は、前記選択画面において、表示される各フロア平面図の外周形状を、それぞれ、前記施設のフロア位置での断面図の外周形状に対応した形状とし、前記表示フロア受付部が前記平面傾け指示を受け付けた場合、当該平面傾け指示で指定されたフロアのフロア平面図と当該フロア平面図の上方に表示されているフロア平面図との間隔を前記設定された間隔よりも広くし、前記平面傾け指示で指定されたフロアのフロア平面図を、当該フロア平面図の傾斜を大きくして表示させる
ことを特徴とする施設管理装置。
【請求項３】
前記選択画面表示制御部は、
前記選択画面において、表示される各フロア平面図の外周形状を、それぞれ、前記施設のフロア位置での断面図の外周形状に対応した形状とする
ことを特徴とする請求項１記載の施設管理装置。
【請求項４】
前記選択画面表示制御部は、
前記選択画面において、表示される各フロア平面図を、それぞれ、設定された間隔だけ離れて積層した状態で傾斜させて表示させる
ことを特徴とする請求項２記載の施設管理装置。
【請求項５】
前記選択画面表示制御部は、
前記指定されたフロアのフロア平面図よりも上方に表示されている各フロア平面図を上方に移動させることで、前記指定されたフロアのフロア平面図と当該フロア平面図の上方に表示されているフロア平面図との間隔を前記設定された間隔よりも広くする
ことを特徴とする請求項１または請求項２記載の施設管理装置。
【請求項６】
前記選択画面表示制御部は、
前記指定されたフロアのフロア平面図よりも下方に表示されている各フロア平面図を下方に移動させることで、前記指定されたフロアのフロア平面図と当該フロア平面図の上方に表示されているフロア平面図との間隔を前記設定された間隔よりも広くする
ことを特徴とする請求項１または請求項２記載の施設管理装置。
【請求項７】
前記選択画面表示制御部は、
前記指定されたフロアのフロア平面図よりも上方に表示されている各フロア平面図を上方に移動させ、かつ、前記指定されたフロアのフロア平面図よりも下方に表示されている各フロア平面図を下方に移動させることで、前記指定されたフロアのフロア平面図と当該フロア平面図の上方に表示されているフロア平面図との間隔を前記設定された間隔よりも広くする
ことを特徴とする請求項１または請求項２記載の施設管理装置。
【請求項８】
前記表示フロア受付部は、前記選択画面において表示された各フロア平面図の視点を変更させる視点変更指示を受け付け、
前記選択画面表示制御部は、前記表示フロア受付部が前記視点変更指示を受け付けた場合、前記視点変更指示で指定された方向へ視点を変更した各フロア平面図を表示させる
ことを特徴とする請求項１または請求項２記載の施設管理装置。
【請求項９】
選択画面表示制御部が、施設のフロア毎のフロア平面図をそれぞれ階層情報と関連付けて積層表示させた選択画面を表示させるステップと、
表示フロア受付部が、前記選択画面に基づき、前記施設内に設置された設備機器の状態を表示させるフロアの選択指示を受け付けるとともに、前記選択画面において表示された各フロア平面図の傾斜を大きくさせる平面傾け指示を受け付けるステップと、
監視ポイントデータ取得部が、前記表示フロア受付部が前記選択指示を受け付けた場合、当該選択指示に基づき、前記施設内に設置された設備機器から収集された監視ポイントデータを取得するステップと、
監視ポイント表示制御部が、前記監視ポイントデータ取得部が取得した監視ポイントデータに関する情報が重畳表示されたフロア平面図を表示させるステップとを備え、
選択画面表示制御部は、
前記選択画面において、表示される各フロア平面図を、それぞれ、設定された間隔だけ離れて積層した状態で傾斜させて表示させ、前記表示フロア受付部が前記平面傾け指示を受け付けた場合、当該平面傾け指示で指定されたフロアのフロア平面図と当該フロア平面図の上方に表示されているフロア平面図との間隔を前記設定された間隔よりも広くし、前記平面傾け指示で指定されたフロアのフロア平面図を、当該フロア平面図の傾斜を大きくして表示させる
ことを特徴とする施設管理方法。
【請求項１０】
選択画面表示制御部が、施設のフロア毎のフロア平面図をそれぞれ階層情報と関連付けて積層表示させた選択画面を表示させるステップと、
表示フロア受付部が、前記選択画面に基づき、前記施設内に設置された設備機器の状態を表示させるフロアの選択指示を受け付けるとともに、前記選択画面において表示された各フロア平面図の傾斜を大きくさせる平面傾け指示を受け付けるステップと、
監視ポイントデータ取得部が、前記表示フロア受付部が前記選択指示を受け付けた場合、当該選択指示に基づき、前記施設内に設置された設備機器から収集された監視ポイントデータを取得するステップと、
監視ポイント表示制御部が、前記監視ポイントデータ取得部が取得した監視ポイントデータに関する情報が重畳表示されたフロア平面図を表示させるステップとを備え、
前記選択画面表示制御部は、前記選択画面において、表示される各フロア平面図の外周形状を、それぞれ、前記施設のフロア位置での断面図の外周形状に対応した形状とし、前記表示フロア受付部が前記平面傾け指示を受け付けた場合、当該平面傾け指示で指定されたフロアのフロア平面図と当該フロア平面図の上方に表示されているフロア平面図との間隔を前記設定された間隔よりも広くし、前記平面傾け指示で指定されたフロアのフロア平面図を、当該フロア平面図の傾斜を大きくして表示させる
ことを特徴とする施設管理方法。
【発明の詳細な説明】
【技術分野】
【０００１】
この発明は、施設内の各種監視ポイントの状態を管理する施設管理装置および施設管理方法に関するものである。
【背景技術】
【０００２】
従来から、ビル等の施設内における各種監視ポイントの状態を管理する施設管理システム内の施設管理装置において、指定したフロア、あるいは、系統のサマリグラフを表示させて、各種監視ポイントの管理を行うことが知られている。
例えば、特許文献１には、サブ画面に各種監視画面のメニューを表示させ、当該メニューから、ユーザが所望のメニューを選択すると、選択されたメニューに応じた監視画面（サマリグラフ）をメイン画面に表示させる技術が開示されている。
また、例えば、特許文献２には、監視ポイントにおいて発生した事象の内容を一覧にして印字し、当該印字された画面から、ユーザが所望の事象を選択すると、予め記録しておいたグラフィックデータを用いて、サマリグラフ上に、選択された事象に応じた監視ポイントのデータが示す設備機器の状態を視覚的に表示させる技術が開示されている。
【先行技術文献】
【特許文献】
【０００３】
【特許文献１】特開２００２−１８９５１４号公報
【特許文献２】特開２０１４−２０６８１６号公報
【発明の概要】
【発明が解決しようとする課題】
【０００４】
特許文献１，２に開示されているような技術では、ユーザは、文字または数字等で表示されるメニュー、あるいは、一覧表から、所望の監視ポイントの状態を表示させるための指定を行うため、例えば、経験が浅く業務スキルが未熟なユーザにとっては、管理対象の施設の物理的な空間を把握しづらく、どのメニュー、あるいは、事象を選択すれば、表示させるべきサマリグラフを表示させることができるのかを判断するのに時間を要し、見るべきサマリグラフにすぐに到達できない可能性があるという課題があった。
【０００５】
この発明は、上記のような課題を解決するためになされたもので、ユーザは、管理対象の施設全体がわかるように表示された画面から、表示させるべき情報を選択することができる施設管理装置および施設管理方法を提供することを目的としている。
【課題を解決するための手段】
【０００６】
この発明に係る施設管理装置は、施設のフロア毎のフロア平面図をそれぞれ階層情報と関連付けて積層表示させた選択画面を表示させる選択画面表示制御部と、選択画面に基づき、施設内に設置された設備機器の状態を表示させるフロアの選択指示を受け付けるとともに、前記選択画面において表示された各フロア平面図の傾斜を大きくさせる平面傾け指示を受け付ける表示フロア受付部と、表示フロア受付部が選択指示を受け付けた場合、当該選択指示に基づき、施設内に設置された設備機器から収集された監視ポイントデータを取得する監視ポイントデータ取得部と、監視ポイントデータ取得部が取得した監視ポイントデータに関する情報が重畳表示されたフロア平面図を表示させる監視ポイント表示制御部とを備え、選択画面表示制御部は、選択画面において、表示される各フロア平面図を、それぞれ、設定された間隔だけ離れて積層した状態で傾斜させて表示させ、表示フロア受付部が平面傾け指示を受け付けた場合、当該平面傾け指示で指定されたフロアのフロア平面図と当該フロア平面図の上方に表示されているフロア平面図との間隔を設定された間隔よりも広くし、平面傾け指示で指定されたフロアのフロア平面図を、当該フロア平面図の傾斜を大きくして表示させることを特徴とするものである。
【発明の効果】
【０００７】
この発明によれば、ユーザは、管理対象の施設全体がわかるように表示された画面から、表示させるべき情報を選択することができる。
【図面の簡単な説明】
【０００８】
【図１】この発明の実施の形態１に係る施設管理装置の構成図である。
【図２】この発明の実施の形態１に係る施設管理装置の動作を説明するフローチャートである。
【図３】実施の形態１において、選択画面表示制御部が表示部に表示させる選択画面の一例を説明する図である。
【図４】実施の形態１において、監視ポイントデータ取得部が予め記憶している管理情報の内容の一例を説明する図である。
【図５】実施の形態１において、監視ポイント表示制御部が表示部に表示させる監視画面の一例を説明する図である。
【図６】実施の形態２において、選択画面表示制御部が表示部に表示させる選択画面の一例を説明する図である。
【図７】実施の形態２において、選択画面において積層表示されている各フロアのフロア平面図を移動可能とした、この発明の実施の形態２に係る施設管理装置１の動作を説明するフローチャートである。
【図８】実施の形態２において、図７のステップＳＴ７０４で選択画面表示制御部が表示部に表示させる選択画面の一例を説明する図である。
【図９】実施の形態２において、選択画面において積層表示されている各フロアのフロア平面図を表示する視点を変更可能とした、この発明の実施の形態２に係る施設管理装置の動作を説明するフローチャートである。
【図１０】実施の形態２において、図９のステップＳＴ９０４で選択画面表示制御部が表示部に表示させる選択画面の一例を説明する図である。
【発明を実施するための形態】
【０００９】
以下、この発明の実施の形態について図面を参照しながら詳細に説明する。
実施の形態１．
【００１０】
図１は、この発明の実施の形態１に係る施設管理装置１の構成図である。
図１に示すように、施設管理装置１は、指示受付部１１と、表示制御部１２と、監視ポイントデータ取得部１３と、データ記憶部１４と、表示部１５とを備える。なお、施設管理装置１は、ソフトウェアに基づくＣＰＵを用いたプログラム処理によって実行される。
【００１１】
指示受付部１１は、施設管理者等のユーザからの各種指示を受け付ける。
指示受付部１１は、選択画面指示受付部１１１と、表示フロア受付部１１２とからなる。
選択画面指示受付部１１１は、ユーザから選択画面を表示させる旨の選択画面表示指示を受け付ける。選択画面指示受付部１１１は、受け付けた選択画面表示指示を、表示制御部１２の選択画面表示制御部１２１に出力する。
この実施の形態１において、選択画面とは、管理対象の施設内において、設置された設備機器の状態を表示させるフロア、すなわち、設置された設備機器から収集された監視ポイントデータに関する情報を表示させるフロアを選択するための画面のことをいう。
【００１２】
表示フロア受付部１１２は、ユーザからの、施設内に設置された設備機器の状態を表示させるフロアの選択指示を受け付ける。表示フロア受付部１１２は、受け付けたフロア選択指示を、表示制御部１２の監視ポイント表示制御部１２２に出力する。また、表示フロア受付部１１２は、受け付けたフロア選択指示に基づき、監視ポイントデータ取得部１３に対して、選択されたフロアに設置された設備機器から収集された監視ポイントデータを、コントローラ２から取得させる監視ポイントデータ取得指示を出力する。なお、フロア選択指示および監視ポイントデータ取得指示には、ユーザが選択したフロアの階層情報も含まれる。
【００１３】
なお、コントローラ２は、例えば、センサ、温度計、電力計等、施設内に設置された設備機器から当該設備機器に関する温度、湿度、電力量等のデータを収集する。この実施の形態１では、設備機器のセンサ、温度計、電力計等を監視ポイントといい、当該監視ポイントで取得されるデータ、すなわち、監視ポイントの値を、監視ポイントデータという。この実施の形態１では、１台以上のコントローラ２が、例えば、ＢＡＣｎｅｔ（Ｂｕｌｉｄｉｎｇ  Ａｕｔｏｍａｔｉｏｎ  ａｎｄ  Ｃｏｎｔｒｏｌ  ｎｅｔｗｏｒｋ）等のオープンネットワークを介して施設管理装置１と接続される。
また、この実施の形態１では、ユーザは、マウス、キーボード等の入力装置（図示省略）を操作して、選択画面表示指示、および、フロア選択指示を入力する。選択画面指示受付部１１１は、当該選択画面表示指示を受け付け、表示フロア受付部１１２は、当該フロア選択指示を受け付ける。
【００１４】
表示制御部１２は、表示部１５に表示させる情報を制御する。
表示制御部１２は、選択画面表示制御部１２１と、監視ポイント表示制御部１２２とからなる。
選択画面表示制御部１２１は、選択画面指示受付部１１１から選択画面表示指示を取得すると、データ記憶部１４のフロアデータ記憶部１４１を参照し、表示部１５に選択画面を表示させる。具体的には、選択画面表示制御部１２１は、フロアデータ記憶部１４１から取得した、施設のフロア構成を表わしたデータに基づき、管理対象の施設等のフロア毎のフロア平面図をそれぞれフロアの階層情報と関連づけて積層表示させた選択画面を、表示部１５に表示させる。このとき、選択画面表示制御部１２１は、選択画面において、選択画面で表示される各フロアのフロア平面図は、それぞれ、少なくとも一部が他のフロアのフロア平面図で遮蔽されないよう、予め設定された間隔だけ離れて積層された状態で斜視表示されるように、表示部１５に表示させる。
【００１５】
監視ポイント表示制御部１２２は、表示フロア受付部１１２からフロア選択指示を取得すると、監視ポイントデータ取得部１３から監視ポイントデータを取得し、データ記憶部１４の機器構成データ記憶部１４２から取得した、施設内のフロアにおける設備機器の構成を表わしたグラフィックデータに基づき、選択されたフロアについて、監視ポイントデータに関する情報が重畳表示されたフロア平面図を、監視画面として表示部１５に表示させる。
【００１６】
監視ポイントデータ取得部１３は、表示フロア受付部１１２から監視ポイントデータ取得指示が出力されると、該当のフロアに設置された設備機器の監視ポイントから収集された、現在の、すなわち、最新の監視ポイントデータを、コントローラ２から取得する。なお、監視ポイントデータ取得指示には、フロアの階層情報が含まれている。また、監視ポイントデータ取得部１３は、予め、管理対象の施設内の各フロアに存在する監視ポイントと当該監視ポイントの監視ポイントデータを収集するコントローラ２とが対応付けられた管理情報を記憶している。監視ポイントデータ取得部１３は、監視ポイントデータ取得指示に含まれる、フロアの階層情報と、予め記憶している管理情報とから、監視ポイントデータを取得するコントローラ２を特定するようにすればよい。
【００１７】
なお、ここでは、監視ポイントデータ取得部１３は、コントローラ２から現在の、すなわち、最新の監視ポイントデータを取得するものとしたが、これに限らず、コントローラ２が収集した監視ポイントデータはサーバ（図示省略）で蓄積されているものとし、監視ポイントデータ取得部１３は、当該サーバから、現在の、すなわち、最新の監視ポイントデータを取得するようにしてもよい。
【００１８】
データ記憶部１４は、管理対象の施設等のフロア構成を表わしたデータ、および、施設内の所定のフロアにおける設備機器の構成を模式的に表わしたグラフィックデータを記憶する。
データ記憶部１４は、フロアデータ記憶部１４１と、機器構成データ記憶部１４２とを有する。
フロアデータ記憶部１４１は、管理対象の施設毎に、当該施設のフロア構成を模式的に表わしたデータを記憶する。
機器構成データ記憶部１４２は、管理対象の施設毎に、当該施設内の所定のフロアにおける設備機器の構成を模式的に表わしたグラフィックデータを記憶する。
【００１９】
表示部１５は、例えば、ディスプレイ等の表示装置であり、選択画面表示制御部１２１の制御に基づき、管理対象の施設等のフロア毎のフロア平面図をそれぞれフロアの階層情報と関連づけて積層表示させた選択画面を表示する。また、表示部１５は、監視ポイント表示制御部１２２の制御に基づき、監視ポイントデータに関する情報が重畳表示されたフロア平面図を、監視画面（サマリグラフ）として表示する。
【００２０】
なお、この実施の形態１では、図１に示すように、データ記憶部１４、表示部１５は、施設管理装置１が備えるものとしたが、これに限らず、データ記憶部１４、表示部１５は、施設管理装置１の外部の、例えば、サーバ、あるいは、エンジニアリング装置等に備えられるものであってもよい。
【００２１】
図２は、この発明の実施の形態１に係る施設管理装置１の動作を説明するフローチャートである。
指示受付部１１の選択画面指示受付部１１１は、ユーザからの選択画面を表示させる旨の選択画面表示指示を受け付けるまで待機し（ステップＳＴ２０１の“ＮＯ”の場合）、選択画面表示指示を受け付けると（ステップＳＴ２０１の“ＹＥＳ”の場合）、受け付けた選択画面表示指示を、選択画面表示制御部１２１に出力する。
この実施の形態１において、ユーザは、マウス、キーボード等の入力装置を操作して、例えば、表示部１５に表示された「選択画面表示」ボタンを押下する等により、選択画面表示指示を行う。選択画面指示受付部１１１は当該ユーザによる選択画面表示指示を入力装置から受け付ける。なお、このとき、ユーザは、あわせて、管理対象の施設の情報も入力するようにする。
【００２２】
選択画面表示制御部１２１は、データ記憶部１４のフロアデータ記憶部１４１を参照し、表示部１５に選択画面を表示させる（ステップＳＴ２０２）。具体的には、選択画面表示制御部１２１は、フロアデータ記憶部１４１から取得した、施設のフロア構成を表わしたデータに基づき、管理対象の施設等のフロア毎のフロア平面図をそれぞれフロアの階層情報と関連づけて積層表示させた選択画面を、表示部１５に表示させる。このとき、選択画面表示制御部１２１は、選択画面において、選択画面で表示される各フロアのフロア平面図は、それぞれ、少なくとも一部が他のフロアのフロア平面図で遮蔽されないよう、予め設定された間隔だけ離れて積層された状態で斜視表示されるように、表示部１５に表示させる。
なお、選択画面表示制御部１２１は、フロアデータ記憶部１４１を参照して、選択画面表示指示に含まれる管理対象の施設の情報と合致する施設を特定し、当該特定した施設のフロア構成を表わしたデータに基づき、選択画面を表示させるようにする。
【００２３】
図３は、この実施の形態１において、選択画面表示制御部１２１が表示部１５に表示させる選択画面の一例を説明する図である。
図３では、一例として、施設管理装置１が「第１ビル」の管理を行っているものとし、「第１ビル」は、地下１階地上９階の１０階建ての建物であるものとしている。このとき、フロアデータ記憶部１４１には、「第１ビル」について、地下１階地上９階の１０階建てであるというフロア構成を模式的に表わしたデータが記憶されており、選択画面表示制御部１２１は、当該グラフィックデータに基づき、図３に示すように、「第１ビル」の地下１階地上９階までのフロア平面図をそれぞれ階層順に、「○Ｆ」という階層情報と関連付けて、積層表示させる。つまり、「第１ビル」のフロア平面図が、階層順に従って１０個積層された表示される。
このとき、選択画面表示制御部１２１は、選択画面において、すなわち、階層順に積層表示されたフロア平面図について、それぞれの階層を表わすフロア平面図は、それぞれ、少なくとも一部が他のフロアのフロア平面図で遮蔽されないよう、予め設定された間隔（図３のａ）だけ離れて積層された状態で表示させるようにする。なお、ここでは、当該予め設定された間隔は一定とし、地下１階から地上９階までが等間隔で、離れて積層された状態で表示されるものとしているが、これに限らず、例えば、上層階になるほど間隔を狭めるようにしてもよく、各フロア平面図の少なくとも一部が他のフロアのフロア平面図で遮蔽されないようになっていればよい。
また、選択画面表示制御部１２１は、選択画面において、各フロア平面図を、選択画面上、手前に傾斜して見えるよう、斜視表示させる。
【００２４】
なお、図３では、各階層情報は、「１Ｆ」、「２Ｆ」等、「○Ｆ」と表示されるものとしているが、これに限らず、表示されたフロア平面の階層情報がわかるような表示であればよい。
また、図３では、各フロア平面は矩形で表示されるものとしたが、これに限らず、各フロア平面は、楕円形等であってもよく、管理対象の施設等の各フロア平面図が、それぞれ階層順に積層表示されるようになっていればよい。
【００２５】
このように、選択画面表示制御部１２１は、施設のフロア構成を表わしたデータに基づき、施設のフロア毎のフロア平面図をそれぞれフロアの階層情報と関連付けて積層表示させた選択画面を表示させるようにしたので、ユーザは、選択画面から、管理対象の施設内において、設置された設備機器の状態を表示させたい所望のフロア、すなわち、設置された設備機器から収集された監視ポイントデータに関する情報を表示させたい所望のフロアを選択する際、管理対象の施設全体がわかるように表示された画面から、容易に所望のフロアを選択することができる。
なお、ユーザが、選択画面から所望のフロアを選択して以降の動作については、次に説明する。
【００２６】
図２のフローチャートに戻る。
表示フロア受付部１１２は、ユーザからの、施設内に設置された設備機器の状態を表示させるフロア、すなわち、設置された設備機器から収集された監視ポイントデータに関する情報を表示させるフロアのフロア選択指示を受け付けたかどうかを判定する（ステップＳＴ２０３）。
ユーザは、ステップＳＴ２０２において、選択画面表示制御部１２１が表示部１５に表示させた選択画面（図３参照）を確認し、施設内の、設備機器の状態を表示させたい所望のフロアを選択する。具体的には、例えば、ユーザは、入力装置であるマウスを操作して、選択画面上の所望のフロアをクリックした後、画面上に表示された「フロア決定」ボタン（図３では図示省略）を押下することで、所望のフロアの選択指示を行う。「フロア決定」ボタンは、選択画面表示制御部１２１が、ステップＳＴ２０２において選択画面を表示させる際に、表示部１５にあわせて表示させるようにすればよい。
あるいは、例えば、ユーザは、入力装置であるキーボードから所望のフロアの階層を入力するようにしてもよいし、音声入力によって所望のフロアを選択するようにしてもよいし、その他の方法で所望のフロアを選択するものでもよい。
【００２７】
表示フロア受付部１１２は、入力装置から、当該フロア選択指示を受け付けたかどうかを判定する。ここでは、ユーザが、図３に示すような選択画面から、１階のフロア平面図をクリックして「フロア決定」ボタンを押下し、「１Ｆ」を選択したとすると、表示フロア受付部１１２は、「１階」という、選択されたフロアの情報を含むフロア選択指示を受け付ける。
【００２８】
ステップＳＴ２０３において、フロア選択指示を受け付けていない場合（ステップＳＴ２０３の“ＮＯ”の場合）、ステップＳＴ２０３の処理を繰り返し、フロア選択指示を受け付けるまで待機する。
【００２９】
ステップＳＴ２０３において、フロア選択指示を受け付けた場合（ステップＳＴ２０３の“ＹＥＳ”の場合）、表示フロア受付部１１２は、受け付けたフロア選択指示を、監視ポイント表示制御部１２２に出力する。また、表示フロア受付部１１２は、監視ポイントデータ取得部１３に対して、監視ポイントデータ取得指示を出力する。
監視ポイントデータ取得部１３は、表示フロア受付部１１２から監視ポイントデータ取得指示が出力されると、該当のフロアに設置された設備機器の監視ポイントから収集された、現在の、すなわち、最新の監視ポイントデータを、コントローラ２から取得する。（ステップＳＴ２０４）。具体的には、監視ポイントデータ取得部１３は、監視ポイントデータ取得指示に含まれているフロアの階層情報と、予め記憶している管理情報とから、監視ポイントデータを取得すべきコントローラ２を特定し、特定したコントローラ２から、該当の監視ポイントデータを取得する。
ここで、図４は、この実施の形態１において、監視ポイントデータ取得部１３が予め記憶している管理情報の内容の一例を説明する図である。
図４に示すように、管理情報には、施設毎に、階層情報と、設置された設備機器と、設備機器に存在する監視ポイントと、当該監視ポイントの監視ポイントデータを収集するコントローラ２の情報が紐付けられている。
【００３０】
例えば、監視ポイントデータ取得指示に含まれているフロアの階層情報が「１階」であった場合、監視ポイントデータ取得部１３は、図４に示すような管理情報から、「１階」に設置された設備機器Ａ〜Ｃに存在する監視ポイントである「ポイント１」〜「ポイント３０」および当該監視ポイントの監視ポイントデータを収集するコントローラである「コントローラ１」〜「コントローラ３０」を特定する。
そして、監視ポイントデータ取得部１３は、「コントローラ１」〜「コントローラ３０」から、現在の、すなわち、最新の監視ポイントデータを取得する。
【００３１】
監視ポイント表示制御部１２２は、ステップＳＴ２０３で表示フロア受付部１１２からフロア選択指示が出力されると、ステップＳＴ２０４で監視ポイントデータ取得部１３が取得した監視ポイントデータを取得し、データ記憶部１４の機器構成データ記憶部１４２を参照して施設内のフロアにおける設備機器の構成を表わしたグラフィックデータを取得し、当該グラフィックデータに基づき、選択されたフロアについて、監視ポイントデータに関する情報が重畳表示されたフロア平面図を、監視画面（サマリグラフ）として表示部１５に表示させる（ステップＳＴ２０５）。
【００３２】
図５は、この実施の形態１において、監視ポイント表示制御部１２２が表示部１５に表示させる監視画面の一例を説明する図である。
図５は、図３に示すような選択画面から、ユーザが１階のフロア平面図を選択した場合に、１階に設置された設備機器の監視ポイントで取得された現在の監視ポイントデータに関する情報を当該１階のフロア平面図に重畳表示させたサマリグラフを示している。
【００３３】
このように、ユーザは、図３に示すような選択画面から施設全体を把握し、容易に所望のフロアの監視ポイントデータに関する情報を画面表示させることができる。
なお、以上の説明では、ユーザは、図３に示すような選択画面から、所望のフロアを選択し（ステップＳＴ２０３の“ＹＥＳ”の場合）、当該選択されたフロアに存在する全ての監視ポイントの監視ポイントデータを取得して、監視画面に表示させるようにしたが（ステップＳＴ２０４，２０５）、当該監視画面を表示させた後、さらに、ユーザから特定の監視ポイントの指定を受け付け、当該監視画面から、指定された監視ポイントの監視ポイントデータの詳細な情報を表示する表示画面に遷移させて表示部１５に表示させるようにすることもできる。
具体的には、例えば、ユーザは、監視画面上の、所望の監視ポイントをマウス等の入力装置によって指定し、表示フロア受付部１１２は、当該監視ポイントの指定を受け付ける。そして、表示フロア受付部１１２は、監視ポイントの指定情報を監視ポイントデータ取得部１３に出力し、監視ポイントデータ取得部１３は、指定された監視ポイントから収集された、過去の所定期間の監視ポイントデータをコントローラ２から取得し、監視ポイント表示制御部１２２は、監視画面から、監視ポイントデータ取得部１３が取得した所定期間の監視ポイントデータに関する情報を表示する表示画面に切り替えて表示部１５に表示させる。これにより、ユーザは、所望の監視ポイントから収集された過去の所定期間の監視ポイントデータを確認することができる。なお、ここでは、一例として、監視ポイントデータの詳細な情報を、過去の所定期間の当該監視ポイントデータに関する情報としたが、これに限らず、ユーザの指定した監視ポイントについて、その他の情報を詳細な情報として表示部１５に表示させるようにしてもよい。
【００３４】
また、この実施の形態１では、上述のとおり、ユーザが選択画面表示指示を行い、ユーザからの選択画面表示指示を受け付けると、選択画面表示制御部１２１が選択画面を表示部１５に表示させるものとしたが、これに限らず、例えば、ユーザの指示に基づかず、施設管理装置１の電源投入時等に、選択画面表示制御部１２１が選択画面を表示部１５に表示させるようにしてもよい。
【００３５】
また、この実施の形態１では、管理対象の施設等が複数ある場合、選択画面表示制御部１２１は、複数の施設に関する選択画面を表示させるようにすることもできる。具体的には、ユーザは、選択画面表示指示を行う際に、設置された設備機器の状態を表示させたい複数の施設を指定するようにし、選択画面指示受付部１１１は、指定された複数の施設の情報を含む選択画面表示指示を受け付ける。選択画面表示制御部１２１は、選択画面指示受付部１１１が受け付けた選択画面表示指示に含まれる複数の施設の情報に基づき、該当の施設のフロア構成を表わしたデータに基づき、該当の全ての施設に関し、フロア毎のフロア平面図をそれぞれフロアの階層情報と関連付けて積層表示させた選択画面を表示部１５に表示させるようにすることもできる。
これにより、より実際の管理状況に即した選択画面をユーザに提供することができる。
【００３６】
以上のように、この実施の形態１によれば、選択画面表示制御部１２１は、施設のフロア構成を表わしたデータに基づき、施設のフロア毎のフロア平面図をそれぞれフロアの階層情報と関連付けて積層表示させた選択画面を表示部１５に表示させるようにしたので、ユーザは、設置された設備機器の状態を表示させたい所望のフロア、すなわち、設置された設備機器から収集された監視ポイントデータに関する情報を表示させたい所望のフロアを選択する際、管理対象の施設全体がわかるように表示された画面から、容易に所望のフロアを選択することができる。
【００３７】
実施の形態２．
実施の形態１では、選択画面表示制御部１２１は、管理対象の施設等のフロア毎のフロア平面図をそれぞれフロアの階層情報と関連付けて積層表示させた選択画面（図３参照）を表示させ、ユーザは、当該選択画面から、設置された設備機器の状態を表示させる所望のフロアを選択するようにしていた。
この実施の形態２では、さらに、選択画面において積層表示させた各フロア平面図について、ユーザが、設置された設備機器の状態を表示させる所望のフロアをより簡単に選択できる形態で表示させるようにする実施の形態について説明する。
【００３８】
この発明の実施の形態２に係る施設管理装置１の構成図は、実施の形態１で図１を用いて説明したものと同様であるため、重複した説明を省略する。
【００３９】
また、この発明の実施の形態２に係る施設管理装置１の動作は、実施の形態１で図２のフローチャートを用いて説明した動作と同様であるため、重複したフローチャートは省略する。
ただし、この実施の形態１では、ステップＳＴ２０２において、選択画面表示制御部１２１が表示部１５に表示させる選択画面における各フロア平面図の表示の形態が異なる。
具体的には、図６に示すように、選択画面表示制御部１２１は、管理対象の施設等のフロア毎のフロア平面図をそれぞれフロアの階層情報と関連付けて積層表示させる際、各フロアのフロア平面図の外周形状を、施設の該当のフロア位置での断面図の外周形状に対応した形状として表示させるようにする。
なお、施設の階層ごとのフロアの断面図の外周形状は、予めフロアデータ記憶部１４１に記憶させておくようにし、選択画面表示制御部１２１は、フロアデータ記憶部１４１を参照して、該当のフロア位置での断面図の外周形状を、フロアデータ記憶部１４１に記憶されている各フロアの断面図から特定するようにすればよい。
【００４０】
このように、選択画面表示制御部１２１は、選択画面において、各フロアのフロア平面図の外周形状を、管理対象の施設等の該当のフロア位置での断面図の外周形状に対応した形状として表示させるようにしたので、各フロアのフロア平面図の積層表示が全体的に施設の外形に近似するため、ユーザは、施設全体を視覚的に把握しやすくなる。その結果、ユーザは、より簡単に、設置された設備機器の状態を表示させる所望のフロア、すなわち、設置された設備機器から収集された監視ポイントデータに関する情報を表示させる所望のフロアを選択できる。
【００４１】
また、この実施の形態２では、選択画面において積層表示されている各フロアのフロア平面図を移動させる、あるいは、各フロアのフロア平面図を表示する視点を変更させるようにすることもできるので、以下、具体的に説明する。
まず、選択画面において積層表示されている各フロアのフロア平面図を移動させる動作について説明する。
図７は、選択画面において積層表示されている各フロアのフロア平面図を移動可能とした、この発明の実施の形態２に係る施設管理装置１の動作を説明するフローチャートである。
なお、図７のステップＳＴ７０１，７０２，７０５〜７０７の具体的な動作は、それぞれ、実施の形態１で説明した図２のステップＳＴ２０１〜２０５の動作と同様であるため、詳細な説明を省略する。
【００４２】
ステップＳＴ７０２において、選択画面表示制御部１２１が、データ記憶部１４のフロアデータ記憶部１４１を参照し、表示部１５に選択画面を表示させると、表示フロア受付部１１２は、選択画面における所望のフロア平面図の傾斜を大きくする平面傾け指示を受け付けたかどうかを判定する（ステップＳＴ７０３）。
例えば、ステップＳＴ７０２において、選択画面表示制御部１２１が、図３のような選択画面を表示させたとすると、ユーザは当該選択画面を確認し、マウス等の入力装置により、所望のフロア平面図をクリックした後、画面上に表示された「傾斜」ボタン（図３では図示省略）を押下することで、平面傾け指示を行うことができる。「傾斜」ボタンは、選択画面表示制御部１２１が、ステップＳＴ７０２において選択画面を表示させる際に、表示部１５にあわせて表示させるようにすればよい。
なお、これは一例であり、ユーザはその他の方法で、平面傾け指示を行うようにしてもよい。
ステップＳＴ７０３において、表示フロア受付部１１２は、入力装置から平面傾け指示を受け付けたかどうかを判定する。
【００４３】
ステップＳＴ７０３において、平面傾け指示を受け付けていない場合（ステップＳＴ７０３の“ＮＯ”の場合）、ステップＳＴ７０４をスキップし、ステップＳＴ７０５に進む。
【００４４】
ステップＳＴ７０３において、平面傾け指示を受け付けた場合（ステップＳＴ７０３の“ＹＥＳ”の場合）、表示フロア受付部１１２は、受け付けた平面傾け指示を選択画面表示制御部１２１に出力し、選択画面表示制御部１２１は、平面傾け指示で指定されたフロアのフロア平面図の傾斜を大きくした選択画面に変更し、当該変更後の選択画面を表示部１５に表示させる（ステップＳＴ７０４）。
ステップＳＴ７０４において、選択画面表示制御部１２１が、平面傾け指示で指定されたフロアのフロア平面図の傾斜を大きくした選択画面に変更する動作について詳細に説明する。
まず、選択画面表示制御部１２１は、平面傾け指示で指定されたフロアのフロア平面図よりも上方に表示されている、指定されたフロアよりも上の階のフロア平面図を予め設定された距離だけ上方に平行移動させて表示させるようにする。例えば、ユーザが、図３に示すような選択画面において、「６Ｆ」の階層情報が付与されたフロア平面図、すなわち、６階のフロアのフロア平面図の傾け指示を行ったとすると、選択画面表示制御部１２１は、６階のフロアのフロア平面図よりも上の、７〜９階の各フロア平面図を予め設定された距離だけ上方に平行させて表示させるようにする。
これにより、選択画面表示制御部１２１は、平面傾け指示で指定されたフロアのフロア平面図と、当該フロア平面図の上方に表示されているフロア平面図との間隔を、ステップＴ７０２において表示させた選択画面における間隔より広げる。例えば、６階のフロアのフロア平面図と７階のフロアのフロア平面図との間隔が広げられて表示されるようになる。
そして、選択画面表示制御部１２１は、平面傾け指示で指定されたフロアのフロア平面図を、当該フロア平面図の傾斜を大きくして表示させるようにする。例えば、６階のフロアのフロア平面図を、画面上手前にさらに傾斜して表示させるようにする。
【００４５】
図８は、実施の形態２において、図７のステップＳＴ７０４で選択画面表示制御部１２１が表示部１５に表示させる選択画面の一例を説明する図である。図８は、表示フロア受付部１１２が、６階のフロア平面図の傾斜を大きくする平面傾け指示と受け付け、選択画面表示制御部１２１が、当該平面傾け指示に基づき、選択画面において表示されたフロア平面図の表示形態を変更する一例を示している。
なお、図８では、一例として、ユーザが、図３に示すような選択画面において、「６Ｆ」の階層情報が付与されたフロア平面図、すなわち、６階のフロアの平面傾け指示を行った場合の変更後の選択画面を示している。
【００４６】
選択画面表示制御部１２１は、図８に示すように、平面傾け指示で指定された６階よりも上方に表示されたフロア平面図、すなわち、７〜９階の各フロア平面図を、図３に示した距離（図８のａ）から、予め設定された距離だけさらに上方（図８のｂ）に平行移動させて表示させる。これにより、６階と７階のフロア平面図の間の距離が大きくなり、６階と７階のフロア平面図の間隔が広げられる。選択画面表示制御部１２１は、当該距離が大きくなった６階と７階のフロア平面図の間に、６階のフロア平面図を、表示される面積が大きくなるよう、手前にさらに傾斜させて表示させる。
ユーザは、ステップＳＴ７０４において選択画面表示制御部１２１が表示形態を変更して表示させた選択画面を確認し、設置された設備機器の状態を表示させる所望のフロアを判断する。
【００４７】
図７のフローチャートに戻る。
表示フロア受付部１１２は、ユーザからの、施設内に設置された設備機器の状態を表示させるフロア、すなわち、設置された設備機器から収集された監視ポイントデータに関する情報を表示させるフロアのフロア選択指示を受け付けたかどうかを判定する（ステップＳＴ７０５）。
ステップＳＴ７０３において、フロア選択指示を受け付けていない場合（ステップＳＴ７０５の“ＮＯ”の場合）、ステップＳＴ７０３に戻り、以降の処理を繰り返す。
ステップＳＴ７０５において、フロア選択指示を受け付けた場合（ステップＳＴ７０５の“ＹＥＳ”の場合）、ステップＳＴ７０６に進む。以降の具体的な動作は、実施の形態１において説明済みであるため、詳細な説明を省略する。
【００４８】
このように、表示フロア受付部１１２が、平面傾け指示を受け付けるようにし、選択画面表示制御部１２１は、当該平面傾け指示を受け付けると、平面傾き指示情報で指定されたフロアのフロア平面図の上方に表示されているフロア平面図を予め設定された距離だけ上方に平行移動させ、平面傾け指示で指定されたフロアのフロア平面図の傾斜を大きくするように表示形態を変更した選択画面を表示部１５に表示させることで、ユーザは、選択したフロアが、設置された設備機器の状態を表示させるフロアであるかどうかをより素早く確認することができる。
【００４９】
なお、ここでは、ステップＳＴ７０４において、選択画面表示制御部１２１が、平面傾け指示で指定されたフロアのフロア平面図の傾斜を大きくするように表示形態を変更した選択画面を表示部１５に表示させると、ステップＳＴ７０５に進むものとしたが、これに限らず、選択画面表示制御部１２１が、平面傾け指示で指定されたフロアのフロア平面図の傾斜を大きくするように表示形態を変更した選択画面を表示部１５に表示させたあと、ユーザから、再び、平面傾け指示を受け付けるようにしてもよい。
【００５０】
また、ここでは、ステップＳＴ７０４において、選択画面表示制御部１２１が、平面傾け指示で指定されたフロアのフロア平面図の傾斜を大きくするように表示形態を変更した選択画面を表示させる際、選択画面表示制御部１２１は、平面傾け指示で指定されたフロアのフロア平面図よりも上方に表示されている各フロア平面図を、上方に平行移動させて表示させるようにしたが、これに限らず、例えば、選択画面表示制御部１２１は、平面傾け指示で指定されたフロアのフロア平面図よりも上方に表示されている各フロア平面図を、すなわち、上述した例でいうとＢ１〜５Ｆの各フロア平面図を、下方に平行移動させて表示させるようにしてもよい。また、選択画面表示制御部１２１は、平面傾け指示で指定されたフロアのフロア平面図よりも上方および下方に表示されている各フロア平面図を、それぞれ、上方、あるいは、下方に平行移動させて表示させるようにしてもよい。
【００５１】
また、選択画面表示制御部１２１は、平面傾け指示で指定されたフロアのフロア平面図よりも上方、あるいは、下方に表示されている各フロア平面図を、例えば、斜め右上方向、斜め左下方向等に移動させるようにしてもよく、選択画面表示制御部１２１は、平面傾け指示で指定されたフロアのフロア平面図よりも上方に表示されている各フロア平面図をさらに上方へ移動させる、あるいは、平面傾け指示で指定されたフロアのフロア平面図よりも下方に表示されている各フロア平面図をさらに下方へ移動させることで、平面傾け指示で指定されたフロアのフロア平面図と、当該フロア平面図の上方に表示されているフロア平面図との間隔をより広げるようにしてもよい。
選択画面表示制御部１２１は、平面傾け指示で指定されたフロアのフロア平面図の傾斜を大きくして表示させる際に、当該指定されたフロアの面積を大きく表示するのに十分な間隔を確保できるよう、当該指定されたフロアの上方、あるいは、下方に表示されているフロア平面図を移動させるようになっていればよい。
【００５２】
次に、選択画面で積層表示されている各フロアのフロア平面図を表示する視点を変更させる動作について説明する。
図９は、選択画面において積層表示されている各フロアのフロア平面図を表示する視点を変更可能とした、この発明の実施の形態２に係る施設管理装置１の動作を説明するフローチャートである。
なお、図９のステップＳＴ９０１，９０２，９０５〜９０７の具体的な動作は、それぞれ、実施の形態１で説明した図２のステップＳＴ２０１〜２０５の動作と同様であるため、詳細な説明を省略する。
【００５３】
ステップＳＴ９０２において、選択画面表示制御部１２１が、データ記憶部１４のフロアデータ記憶部１４１を参照し、表示部１５に選択画面を表示させると、表示フロア受付部１１２は、選択画面で積層表示されている各フロアのフロア平面図を表示する視点を変更させる視点変更指示を受け付けたかどうかを判定する（ステップＳＴ９０３）。
例えば、ステップＳＴ９０２において、選択画面表示制御部１２１が、図３のような選択画面を表示させたとすると、ユーザは当該選択画面を確認し、マウス等の入力装置で、画面上に表示された「視点変更」ボタン（図３では図示省略）を押下した後、フロア平面図上で、マウスを所望の視点となるまでドラッグ操作し、「決定」ボタン（図３では図示省略）を押下して、選択画面において積層表示されている各フロアのフロア平面図を表示する視点を変更させる視点変更指示を行うことができる。「視点変更」ボタン、「決定」ボタンは、選択画面表示制御部１２１が、ステップＳＴ９０２において選択画面を表示させる際に、表示部１５にあわせて表示させるようにすればよい。
なお、これは一例であり、ユーザはその他の方法で、視点変更指示を行うようにしてもよい。
【００５４】
ステップＳＴ９０３において、表示フロア受付部１１２は、入力装置から当該視点変更指示を取得したかどうかを判定する。
ステップＳＴ９０３において、視点変更情報を受け付けていない場合（ステップＳＴ９０３の“ＮＯ”の場合）、ステップＳＴ９０４をスキップし、ステップＳＴ９０５に進む。
ステップＳＴ９０３において、視点変更指示を受け付けた場合（ステップＳＴ９０３の“ＹＥＳ”の場合）、表示フロア受付部１１２は、受け付けた視点変更指示を選択画面表示制御部１２１に出力し、選択画面表示制御部１２１は、視点変更指示で指定された方向へ視点を変更した各フロアのフロア平面図を表示させるよう、表示形態を変更した選択画面を表示部１５に表示させる（ステップＳＴ９０４）。
【００５５】
図１０は、実施の形態２において、図９のステップＳＴ９０４で選択画面表示制御部１２１が表示部１５に表示させる選択画面の一例を説明する図である。すなわち、表示フロア受付部１１２が、選択画面で表示されているフロア平面図の積層表示を右へ４５度回転させる視点変更指示を受け付け、選択画面表示制御部１２１が、当該視点変更指示に基づき、選択画面に表示されたフロア平面図の表示形態を変更する一例を示している。
なお、図１０では、一例として、ユーザが、図３に示すような選択画面から、「視点変更」ボタンを押下した後、フロア平面図上でマウスを右方向にドラッグして、フロア平面図の積層表示を右へ４５度回転させた状態で「決定」ボタンを押下し、視点変更指示を行った場合の選択画面を示している。そして、選択画面表示制御部１２１は、図１０に示すように、図３で示した状態から、各フロア平面図の積層表示を左方向へ４５度回転させて表示部１５に表示させる。
ユーザは、ステップＳＴ９０４において選択画面表示制御部１２１が表示形態を変更して表示させた選択画面を確認し、設置された設備機器の状態を表示させる所望のフロアを判断する。
【００５６】
図９のフローチャートに戻る。
表示フロア受付部１１２は、ユーザからの、施設内に設置された設備機器の状態を表示させるフロア、すなわち、設置された設備機器から収集された監視ポイントデータに関する情報を表示させるフロアのフロア選択指示を受け付けたかどうかを判定する（ステップＳＴ９０５）。
ステップＳＴ９０３において、フロア選択指示を受け付けていない場合（ステップＳＴ９０５の“ＮＯ”の場合）、ステップＳＴ９０３に戻り、以降の処理を繰り返す。
ステップＳＴ９０５において、フロア選択指示を受け付けた場合（ステップＳＴ９０５の“ＹＥＳ”の場合）、ステップＳＴ９０６に進む。以降の具体的な動作は、実施の形態１において説明済みであるため、詳細な説明を省略する。
【００５７】
このように、表示フロア受付部１１２が、視点変更指示を受け付けるようにし、選択画面表示制御部１２１は、当該視点変更指示を受け付けると、視点変更指示で指定された方向へ視点を変更した各フロアのフロア平面図を表示部１５に表示させることで、ユーザは、様々な視点方向から各フロア平面図が表示された選択画面を確認することができ、施設全体をより視覚的に把握しやすくなる。その結果、ユーザは、選択したフロアが、設置された設備機器の状態を表示させるフロアであるかどうかをより素早く確認することができる。
【００５８】
なお、ここでは、ステップＳＴ９０４において、選択画面表示制御部１２１が、視点変更指示で指定された視点となるよう、フロア平面図の積層表示の表示方向を変更した選択画面を表示部１５に表示させると、ステップＳＴ９０５に進むものとしたが、これに限らず、選択画面表示制御部１２１が、視点変更指示で指定された視点となるよう表示方向を変更した選択画面を表示部１５に表示させたあと、ユーザから、再び、視点変更指示を受け付けるようにしてもよい。
【００５９】
以上のように、この実施の形態２によれば、選択画面において積層表示させた各フロア平面図について、施設内に設置された設備機器の状態を表示させるフロア、すなわち、設置された設備機器から収集された監視ポイントデータに関する情報を表示させるフロアを、ユーザがより簡単に選択できる形態で表示させるようにすることができる。
【００６０】
なお、実施の形態１，２で説明した施設管理装置１は、ビル、工場、プラントなどのあらゆる施設において、Ｉ／Ｏ状態を監視する施設管理装置に適用できる。
【００６１】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１  施設管理装置
２  コントローラ
１１  指示受付部
１２  表示制御部
１３  監視ポイントデータ取得部
１４  データ記憶部
１５  表示部
１１１  選択画面指示受付部
１１２  表示フロア受付部
１２１  選択画面表示制御部
１２２  監視ポイント表示制御部
１４１  フロアデータ記憶部
１４２  機器構成データ記憶部
【図１】
0006729966.tif 000002
【図２】
0006729966.tif 000003
【図３】
0006729966.tif 000004
【図４】
0006729966.tif 000005
【図５】
0006729966.tif 000006
【図６】
0006729966.tif 000007
【図７】
0006729966.tif 000008
【図８】
0006729966.tif 000009
【図９】
0006729966.tif 000010
【図１０】
0006729966.tif 000011